(57)【要約】【課題】使い勝手を向上することができる両替装置を提供すること。【解決手段】両替装置１は、包装硬貨を金種毎に収納し、開閉可能なドロア１８と、包装硬貨に両替される紙幣が入金される投入・払出部１４と、ドロア１８における金種別の包装硬貨の在庫数を記憶する記憶部２７と、制御部４２とを含む。制御部４２には、両替したい包装硬貨に関する情報が入力される。制御部４２は、入力された包装硬貨の両替予定数と記憶部２７における包装硬貨の在庫数とを比較し、在庫数が両替予定数以上であることを条件に、ドロア１８の開放を許可する。【選択図】図２
2014096002.tif 000002
【特許請求の範囲】
【請求項１】
貨幣を、金種毎に所定数の貨幣をまとめた包装貨幣に両替するための両替装置であって、
包装貨幣を金種毎に収納し、開閉可能な包装貨幣収納部と、
包装貨幣に両替される貨幣が入金される貨幣入金部と、
両替したい包装貨幣に関する情報が入力される入力手段と、
前記包装貨幣収納部における金種別の包装貨幣の在庫数を記憶する記憶手段と、
前記入力手段に入力された包装貨幣の両替予定数と前記記憶手段における包装貨幣の在庫数とを比較し、前記在庫数が前記両替予定数以上であることを条件に、前記包装貨幣収納部の開放を許可する制御手段と、
を含むことを特徴とする、両替装置。
【請求項２】
前記在庫数が前記両替予定数未満であれば、在庫数が不足している旨を出力する出力手段を含むことを特徴とする、請求項１記載の両替装置。
【請求項３】
開放された前記包装貨幣収納部からの包装貨幣の取出数を検出する検出手段と、
前記両替予定数と前記取出数とを照合して、前記両替予定数と前記取出数とが金種毎に一致すれば前記貨幣入金部への両替用貨幣の入金を促す旨を報知し、前記両替予定数と前記取出数とが金種毎に一致しなければ前記取出数の過不足についての情報を報知する報知手段と、
を含むことを特徴とする、請求項１または２記載の両替装置。
【請求項４】
前記包装貨幣収納部を閉じた状態でロックするロック手段を含み、
前記ロック手段は、前記両替予定数と前記取出数とが一致すれば前記包装貨幣収納部を閉じた状態でロックし、前記両替予定数と前記取出数とが一致しなければ前記包装貨幣収納部をアンロック状態にすることを特徴とする、請求項３記載の両替装置。
【請求項５】
前記貨幣入金部への両替用貨幣の入金額と前記両替予定数の包装貨幣の総額とを比較し、前記入金額と前記包装貨幣の総額とが一致していれば両替取引を完了させ、前記入金額が前記包装貨幣の総額より少なければ両替用貨幣の追加入金を促す旨を報知し、前記入金額が前記包装貨幣の総額より多ければ釣銭を出金する取引手段を含むことを特徴とする、請求項１〜４のいずれかに記載の両替装置。
【発明の詳細な説明】
【技術分野】
【０００１】
この発明は、両替装置に関する。
【背景技術】
【０００２】
両替装置として、特許文献１では、店舗においてＰＯＳレジスタ等の外部機器に接続される金銭処理装置が提案されている。この金銭処理装置では、釣銭機をなす装置本体に対して、開閉可能な包装硬貨収納庫が配設されている。包装硬貨収納庫には、同一金種の硬貨を複数枚重ね合わせて樹脂フィルムによって包装した円柱状の包装硬貨（包装貨幣）が収納される。包装硬貨収納庫と装置本体との間には、係合手段が設けられている。係合手段は、装置本体に対して包装硬貨収納庫を閉塞した状態に保持する係合状態となったり、包装硬貨収納庫を開放させるために当該係合状態を解除したりする。
【０００３】
この金銭処理装置では、包装硬貨を使用した両替処理が選択されると、包装硬貨両替モード処理が実施される。包装硬貨両替モード処理では、入金された両替用貨幣の鑑別が行われたことに応じて係合手段が解除され、包装硬貨収納庫が押し出されて開放される。開放された包装硬貨収納庫に対して包装硬貨の入出金がなされる。包装硬貨の入出金後に包装硬貨収納庫が閉塞されると、金銭処理装置では、両替用貨幣の入金額と包装硬貨の出金額とが比較される。両替用貨幣の入金額と包装硬貨の出金額とが一致した場合には、係合手段が有効化されて係合状態となり、一連の包装硬貨両替モード処理が終了する。両替用貨幣の入金額と包装硬貨の出金額とが一致しない場合には、金銭処理装置では、その旨が報知され、係合手段が解除されたままとなる。
【先行技術文献】
【特許文献】
【０００４】
【特許文献１】特開２０１０−３９５８５号公報
【発明の概要】
【発明が解決しようとする課題】
【０００５】
特許文献１の金銭処理装置は、ＰＯＳレジスタ等に接続されていることから、嵩張る上に設置場所が店舗の売り場に限定され、さらに、ＰＯＳレジスタが接客取引の処理を行っている間では、両替処理を実行できない。また、この金銭処理装置の包装硬貨両替モード処理では、必要とする金種の包装硬貨が包装硬貨収納庫に有るか否かと関係なく、入金されれば包装硬貨収納庫が自動的に開放されるようになっている。そのため、包装硬貨収納庫を開放してから包装硬貨の在庫を確かめてみなければ、所望の両替が可能か否か分からないので、包装硬貨収納庫の開放後に、必要とする金種の包装硬貨がないことが分かれば、今までの手続きが無駄になってしまう。
【０００６】
この発明は、かかる背景のもとでなされたもので、使い勝手を向上することができる両替装置を提供することを目的とする。
【課題を解決するための手段】
【０００７】
請求項１記載の発明は、貨幣を、金種毎に所定数の貨幣をまとめた包装貨幣に両替するための両替装置であって、包装貨幣を金種毎に収納し、開閉可能な包装貨幣収納部と、包装貨幣に両替される貨幣が入金される貨幣入金部と、両替したい包装貨幣に関する情報が入力される入力手段と、前記包装貨幣収納部における金種別の包装貨幣の在庫数を記憶する記憶手段と、前記入力手段に入力された包装貨幣の両替予定数と前記記憶手段における包装貨幣の在庫数とを比較し、前記在庫数が前記両替予定数以上であることを条件に、前記包装貨幣収納部の開放を許可する制御手段と、を含むことを特徴とする、両替装置である。
【０００８】
請求項２記載の発明は、前記在庫数が前記両替予定数未満であれば、在庫数が不足している旨を出力する出力手段を含むことを特徴とする、請求項１記載の両替装置である。
請求項３記載の発明は、開放された前記包装貨幣収納部からの包装貨幣の取出数を検出する検出手段と、前記両替予定数と前記取出数とを照合して、前記両替予定数と前記取出数とが金種毎に一致すれば前記貨幣入金部への両替用貨幣の入金を促す旨を報知し、前記両替予定数と前記取出数とが金種毎に一致しなければ前記取出数の過不足についての情報を報知する報知手段と、を含むことを特徴とする、請求項１または２記載の両替装置である。
【０００９】
請求項４記載の発明は、前記包装貨幣収納部を閉じた状態でロックするロック手段を含み、前記ロック手段は、前記両替予定数と前記取出数とが一致すれば前記包装貨幣収納部を閉じた状態でロックし、前記両替予定数と前記取出数とが一致しなければ前記包装貨幣収納部をアンロック状態にすることを特徴とする、請求項３記載の両替装置である。
請求項５記載の発明は、前記貨幣入金部への両替用貨幣の入金額と前記両替予定数の包装貨幣の総額とを比較し、前記入金額と前記包装貨幣の総額とが一致していれば両替取引を完了させ、前記入金額が前記包装貨幣の総額より少なければ両替用貨幣の追加入金を促す旨を報知し、前記入金額が前記包装貨幣の総額より多ければ釣銭を出金する取引手段を含むことを特徴とする、請求項１〜４のいずれかに記載の両替装置である。
【発明の効果】
【００１０】
請求項１記載の発明によれば、両替装置では、これから両替したい包装貨幣についての両替予定数の入力に応じて在庫数確認（在庫確認）が行われ、両替予定数以上の在庫数があれば包装貨幣収納部を開放できるようになっている。これにより、包装貨幣収納部を開放できるか否かによって、所望の両替ができるか否かを速やかに把握できる。そのため、所望の両替ができるか否かを把握するために、包装貨幣収納部を一旦開放して包装貨幣収納部内の在庫数を目視等で確認する煩わしさから解放されるので、包装貨幣の両替に関する使い勝手を向上することができる。
【００１１】
また、この両替装置は、包装貨幣の両替に特化しているので、その分、小型化を図ることができる上に、売り場のＰＯＳレジスタ等に接続せずに単独で配置できることから、大きさや配置の点でも両替装置の使い勝手を向上することができる。
請求項２記載の発明によれば、これから両替したい包装貨幣についての在庫数が両替予定数未満であれば、在庫数が不足している旨が出力されることによって、所望の両替ができないことを速やかに把握できる。これにより、包装貨幣の両替に関する使い勝手を一層向上することができる。
【００１２】
請求項３記載の発明によれば、この両替装置は、包装貨幣収納部から包装貨幣を取り出した後に両替用貨幣を入金する後払い方式の両替装置である。両替装置では、包装貨幣収納部からの包装貨幣の取出数が管理されていて、両替予定数と取出数とが一致すれば、両替用貨幣を入金するステップに進むことができ、両替予定数と取出数とが一致しなければ、その旨が報知されて、取出数に過不足があることに気付くことができるので、使い勝手が良い。
【００１３】
請求項４記載の発明によれば、包装貨幣収納部から包装貨幣を取り出した後に包装貨幣収納部を閉じた状態でロックできるか否かによって、両替予定数と（包装貨幣の）取出数とが一致しているか否かを容易に把握できるので、使い勝手が良い。
請求項５記載の発明によれば、両替装置では、両替用貨幣の入金額と両替予定数の包装貨幣の総額との一致や差異に応じて、両替取引を完了させたり、両替用貨幣の追加入金を促したり、釣銭を出金したりと適切な処理を行うので、使い勝手が良い。
【図面の簡単な説明】
【００１４】
【図１】図１は、この発明の一実施形態に係る両替装置１の外観を示す斜視図である。
【図２】図２は、両替装置１の構成を示す図である。
【図３】図３は、両替装置１の収納庫３においてにドロア１８を開閉する様子を説明するための模式図である。
【図４Ａ】図４Ａは、両替装置１における第１収納庫３Ａに記憶される管理テーブル３５の内容を示す図である。
【図４Ｂ】図４Ｂは、両替装置１におけるターミナル４に記憶される管理テーブル５０の内容を示す図である。
【図５】図５は、両替装置１において行われる両替処理の一例を示すフローチャートである。
【図６Ａ】図６Ａは、操作パネル部４０における表示内容の一例を示す図である。
【図６Ｂ】図６Ｂは、操作パネル部４０における表示内容の一例を示す図である。
【図６Ｃ】図６Ｃは、操作パネル部４０における表示内容の一例を示す図である。
【図６Ｄ】図６Ｄは、操作パネル部４０における表示内容の一例を示す図である。
【図６Ｅ】図６Ｅは、操作パネル部４０における表示内容の一例を示す図である。
【図６Ｆ】図６Ｆは、操作パネル部４０における表示内容の一例を示す図である。
【図６Ｇ】図６Ｇは、操作パネル部４０における表示内容の一例を示す図である。
【図６Ｈ】図６Ｈは、操作パネル部４０における表示内容の一例を示す図である。
【図６Ｉ】図６Ｉは、操作パネル部４０における表示内容の一例を示す図である。
【図６Ｊ】図６Ｊは、操作パネル部４０における表示内容の一例を示す図である。
【図７】図７は、両替処理の変形例を示すフローチャートである。
【発明を実施するための形態】
【００１５】
以下には、図面を参照して、この発明の実施形態について具体的に説明する。
図１は、この発明の一実施形態に係る両替装置１の外観を示す斜視図である。図２は、両替装置１の構成を示す図である。
図１に示す両替装置１は、スーパーマーケット等の小売店の店舗において、サービスカウンターや売場外の事務所等に設置されている。店舗では、釣銭用硬貨が不足しそうなレジがあった場合に、レジ係の従業員（または要請を受けた従業員）が、このレジから両替用貨幣（この実施形態では紙幣のみ）を抜き出して両替装置１までやってきて、両替装置１に、当該両替用貨幣と必要分の釣銭用貨幣とを両替してもらう。ここで、必要分の釣銭用貨幣は、ばらの貨幣でなく、金種毎に所定数（たとえば５０枚）毎にまとめられて紙等で包装された貨幣（以下では「包装貨幣」ということがある）として、両替装置１から従業員に払い出される。つまり、この両替装置１は、貨幣を、金種毎に所定数の貨幣をまとめた包装貨幣に両替するためのものである。なお、この実施形態の包装貨幣は、硬貨のみで構成された包装硬貨１００である。
【００１６】
この両替装置１は、包装硬貨１００の両替に特化しているので、その分、小型化を図ることができる上に、売り場のＰＯＳレジスタ等に接続せずに単独で配置できることから、大きさや配置の点で両替装置１の使い勝手を向上することができる。
ここで、図１は、両替装置１を操作する従業員から見たときの両替装置１を示しており、図１における紙面手前側が両替装置１の正面側（前側）であり、図１における紙面奥側が両替装置１の奥側（後側）であり、図１における左右は、両替装置１の左右と一致している。以下では、図１における前後上下左右方向に基づいて、両替装置１の構成について説明する。
【００１７】
この両替装置１は、両替用貨幣（ここでは紙幣のみ）を処理するための釣銭機２と、金種毎の包装硬貨１００を収納するための収納庫３と、釣銭機２および収納庫３のそれぞれを制御するためのターミナル４とを含んでいる。釣銭機２およびターミナル４は、左右に並んだ状態で、収納庫３の上に載せられており、この状態で、釣銭機２、収納庫３およびターミナル４は連結されている。また、この実施形態では、収納庫３は、第１収納庫３Ａおよび第２収納庫３Ｂというように、複数台（ここでは２台）設けられていて、第１収納庫３Ａが第２収納庫３Ｂよりも上位にくるように、上下に重なった状態で配置されている。収納庫３の数は自在に変更可能であり、所望の台数の収納庫３を増設することができる。そして、釣銭機２および各収納庫３のそれぞれは、通信ケーブル（たとえばＲＳ２３２Ｃケーブル）を介して、ターミナル４に対して通信可能に接続されている。
【００１８】
次に、図１および図２の両方を参照しながら、釣銭機２、収納庫３およびターミナル４のそれぞれについて説明する。
図１を参照して、釣銭機２は、前後に長手のボックス状であり、その正面の右寄りの位置に、両替用の紙幣（両替用紙幣）が投入される投入口５と、釣銭として払い戻される紙幣（釣銭用紙幣）が払い出される払出口６とが、左右に並んで形成されている。投入口５および払出口６は、いずれも縦長スリット状であり、投入口５が払出口６よりも右側に位置している。釣銭機２の天面の前端部における右寄り位置には、顧客操作部７が設けられている。顧客操作部７は、表示器８やボタン９で構成されている。表示器８には、必要な情報が表示される。従業員は、ボタン９を操作することによって、釣銭機２の動作を制御することができる。釣銭機２の正面において、投入口５および払出口６よりも左隣の領域には、アクセスカバー１０が設けられている。アクセスカバー１０には、鍵穴１１が設けられている。通常状態のアクセスカバー１０は釣銭機２にロックされて取り外し不能となっているのだが、従業員が鍵穴１１に鍵（図示せず）を差し込んで操作すると、アクセスカバー１０のロック状態を解除し、アクセスカバー１０を手前に引き出すことができる。
【００１９】
図２を参照して、釣銭機２は、制御部１２を備えている。制御部１２は、ＣＰＵおよびそのプログラム等を記憶したＲＯＭ、ＲＡＭ等で構成されており、プログラムに従って演算処理等の所定の処理を実行する。釣銭機２は、制御部１２に対して電気的に接続される構成として、前述した顧客操作部７と、通信Ｉ／Ｆ（インターフェース）部１３と、投入・払出部１４（貨幣入金部）と、記憶部１５とを含んでいる。
【００２０】
制御部１２は、顧客操作部７について、顧客操作部７の表示内容を制御したり、ボタン９（図１参照）の操作を受け付けたりすることができる。制御部１２は、通信Ｉ／Ｆ部１３を介することによって、ターミナル４と通信することができる。
投入・払出部１４は、一括カセット３６と、金種別収納部１６と、識別部３７と、投入部３８と、払出部３９とを含んでいる。一括カセット３６には、補充される紙幣や、機内から回収される紙幣が収納される。一括カセット３６は、前述したアクセスカバー１０（図１参照）と一体化されており、アクセスカバー１０とともに着脱可能である。金種別収納部１６は、補充された紙幣や投入された紙幣を金種別に収納し、出金時や回収時に繰り出すものである。識別部３７は、補充された紙幣や、投入された紙幣や、出金される紙幣の真偽および金種を識別するものである。投入部３８は、投入口５から投入される両替用紙幣をまとめて受け入れて、１枚ずつ機内へ取り込む。つまり、投入・払出部１４には、包装硬貨１００に両替される両替用の紙幣が入金される。また、払出部３９は、出金されれる紙幣や入金リジェクトされた紙幣を払出口６から払い出す。さらに、投入・払出部１４は、金種別収納部１６内の紙幣や、投入口５に投入された紙幣を金種毎に計数することができる。金種別収納部１６内の紙幣についての投入・払出部１４による金種毎の計数結果は、金種毎の紙幣の在庫数として、記憶部１５に記憶される。
【００２１】
図１に戻り、各収納庫３は、１つのドロア１８（包装貨幣収納部）と、フレーム１９とを含んでいる。ドロア１８は、いわゆる引出しであって、上下に薄くて天面が開放されたボックス状である。フレーム１９は、ドロア１８を支持するボックス状であり、上下に薄い。なお、この実施形態では、第１収納庫３Ａのフレーム１９と、第２収納庫３Ｂのフレーム１９とは一体化されているが、別々に設けられていてもよい。
【００２２】
各収納庫３のドロア１８は、フレーム１９に支持された状態で前後にスライド可能である。詳しくは、ドロア１８は、第１収納庫３Ａのドロア１８のように前壁１８Ａ以外の全てがフレーム１９内に収まった閉位置と、第２収納庫３Ｂのドロア１８のように後壁１８Ｂ以外のほぼ全てがフレーム１９から前側へはみ出た開位置との間で前後にスライドすることによって、開閉可能である。
【００２３】
ドロア１８内には、前後に延びる２枚の仕切り板２０が左右に離れて配置されており、これにより、ドロア１８の内部空間は、左右に並ぶ３つの収納室２１に区画されている。また、各収納室２１には、左右に延びる複数の区画板２２が、前後に等間隔で離れて配置されている。各収納室２１において、前後に隣り合う２枚の区画板２２間の領域や、ドロア１８の前壁１８Ａと最前列の区画板２２との間の領域や、ドロア１８の後壁１８Ｂと最後尾の区画板２２との間の領域は、左右に細長い収納スペース２３を区画している。各収納室２１は、複数の収納スペース２３が前後に並んで形成されている。１つの収納スペース２３には、いずれかの金種の包装硬貨１００が左右に長手となった姿勢で１本収納される。そのため、ドロア１８全体で見れば、ドロア１８には、包装硬貨１００が金種毎に収納されている。この例では、収納スペース２３が１０本ずつ３列設けられる収納庫３が２段配置される。
【００２４】
図２を参照して、各収納庫３（第１収納庫３Ａおよび第２収納庫３Ｂのそれぞれ）は、制御部２４（検出手段）を備えている。制御部２４は、ＣＰＵおよびそのプログラム等を記憶したＲＯＭ、ＲＡＭ等で構成されており、プログラムに従って演算処理等の所定の処理を実行する。各収納庫３は、制御部２４に対して電気的に接続される構成として、通信Ｉ／Ｆ部２５と、ドロアユニット２６と、記憶部２７（記憶手段）とを含んでいる。
【００２５】
制御部２４は、通信Ｉ／Ｆ部２５を介することによって、ターミナル４と通信することができる。
ドロアユニット２６は、前述したドロア１８と、ロック部２８（ロック手段）と、位置センサ３０と、識別・計数部３１とを含んでいる。
ロック部２８は、ドロア１８を閉位置で（閉じた状態で）ロックしたり、そのロックを解除したりする。たとえば、ロック部２８は、フック（図示せず）と、フックを動かすソレノイド（図示せず）とで構成されている。ロック部２８では、閉位置のドロア１８にフックが係合することによってドロア１８を閉位置でロックでき、ソレノイドがフックをドロア１８から外すことによってドロア１８のロックを解除できる。または、ロック部２８は、電磁的にドロア１８を閉位置でロックしたり、そのロックを解除したりしてもよい。両替装置１が待機状態にあってドロア１８が閉位置にある場合には、各収納庫３において、ロック部２８は、ドロア１８を閉位置でロックしている。ロックが解除されるとドロア１８はポップアップし、手動で引出し可能となる。
【００２６】
位置センサ３０は、ドロア１８の位置を検知するセンサである。位置センサ３０は、たとえば複数の遮光センサで構成することができる。具体的には、ドロア１８が閉位置にあるときに、第１の遮光センサにおける検知光がドロア１８によって遮光される一方で、第２の遮光センサにおける検知光が透光されるようにしておく。そして、ドロア１８が閉位置から開位置までスライドすると、第１の遮光センサにおける検知光が透光される一方で、第２の遮光センサにおける検知光がドロア１８によって遮光されるようにしておく。このようにすれば、位置センサ３０は、第１および第２のそれぞれの遮光センサでの検知光の遮光／透光状態によって、ドロア１８が閉位置または開位置のいずれにあるのかを検知できる。
【００２７】
識別・計数部３１は、ドロア１８内に収納されている包装硬貨１００の有無や金種を識別したり、包装硬貨１００を計数したりするセンサである。
図３は、識別・計数部３１に関連して、両替装置１の収納庫３においてにドロア１８を開閉する様子を説明するための模式図である。
図３では、閉位置にあるドロア１８を図３（ａ）で示していて、閉位置から開位置まで引き出したときのドロア１８を図３（ｂ）で示していて、開位置から閉位置まで戻ったときのドロア１８を図３（ｂ）で示している。つまり、図３では、図３（ａ）から図３（ｃ）へ向けてドロア１８の位置が変わっていく様子が時系列順に示されている。
【００２８】
ドロア１８において、識別・計数部３１は、収納室２１毎（図１参照）に設けられている。つまり、識別・計数部３１は、収納室２１と同数設けられている。各識別・計数部３１は、たとえば、遮光センサで構成されていて、検知光３２を発する発光素子３３と、当該検知光３２を受ける受光素子３４とを含んでいる。発光素子３３および受光素子３４は、上下に離れた状態で、収納庫３のフレーム１９における前側（図３では左側）の定位置に固定されており、検知光３２は、収納庫３における前側の所定の位置で上下に走るようになっている。識別・計数部３１では、発光素子３３が発した検知光３２が受光素子３４で受けられている場合には透光状態にあり、検知光３２が受光素子３４で受けられていない場合には遮光状態にある。
【００２９】
図３（ａ）に示すようにドロア１８が閉位置にあるとき、識別・計数部３１は、自身が担当する収納室２１と左右方向（図３における紙面に垂直な方向）における同じ位置にあって、この識別・計数部３１の検知光３２は、ドロア１８の前壁１８Ａによって遮光されている。
そして、図３（ｂ）に示すように、ドロア１８を閉位置から開位置まで引き出すと、収納室２１内の包装硬貨１００が前側から順番に検知光３２を横切っていき、最終的に、検知光３２は、ドロア１８の後壁１８Ｂによって遮光される。包装硬貨１００が検知光３２を横切っている間では、検知光３２は遮光されているが、隣り合う包装硬貨１００の間に検知光３２が差し掛かると、一旦透光されるようになっている。識別・計数部３１は、遮光が途切れると、その都度、パルスＰを１つ出力するようになっている。また、ドロア１８の開き始めにおいて検知光３２が前壁１８Ａと最前列の包装硬貨１００との間に差し掛かったときや、ドロア１８の開き終わりにおいて検知光３２が後壁１８Ｂと最後尾の包装硬貨１００との間に差し掛かったときにも、その都度、一旦透光されるようになっている。そのため、ドロア１８を閉位置から開位置まで引き出すと、識別・計数部３１は、収納室２１内の包装硬貨１００と同数のパルスＰを出力する。なお、検知光３２が前壁１８Ａと最前列の包装硬貨１００との間に差し掛かったときや、ドロア１８の開き終わりにおいて検知光３２が後壁１８Ｂと最後尾の包装硬貨１００との間に差し掛かったときには、パルスＰは出力されない。
【００３０】
識別・計数部３１は、出力したパルスＰの数をカウントすることによって、ドロア１８が閉位置から開位置まで引き出された直後の時点における収納室２１内の包装硬貨１００の数（「第１在庫数」ということにする）を計数する。ここで、１つのパルスＰの幅Ｗは、検知光３２が包装硬貨１００によって遮光されていた時間に応じて異なる。金種の異なる包装硬貨１００では、外径が異なるので、その分、パルスＰの幅Ｗも異なる。そのため、識別・計数部３１は、パルスＰの幅Ｗに応じて、収納室２１内における個々の包装硬貨１００の金種を識別する。また、収納室２１内の包装硬貨１００は、前側の包装硬貨１００から順に検知光３２を横切っていくので、識別・計数部３１は、パルスＰを出力するタイミングによって、収納室２１内の各収納スペース２３における包装硬貨１００の有無を前側から順に識別している。ちなみに、識別・計数部３１は、パルスＰを１つ出力してから次のパルスＰを出力するまでに所定時間以上のインターバルがあれば、当該インターバルに相当する収納スペース２３において包装硬貨１００が存在しないことを識別する。
【００３１】
このように、ドロア１８を閉位置から開位置まで引き出すと、識別・計数部３１は、各収納室２１内の各収納スペース２３における包装硬貨１００の有無や金種を識別するとともに、金種毎の包装硬貨１００の数（第１在庫数）を計数する。なお、包装硬貨１００の有無や金種を識別したり、計数したりする構成は、特許第４７９５０５６号公報において詳しく説明されている。
【００３２】
そして、図３（ｃ）に示すように、ドロア１８を開位置から閉位置まで戻すと、収納室２１内の包装硬貨１００が順番に検知光３２を横切っていき、先程と同様に、識別・計数部３１は、収納室２１内の包装硬貨１００と同数のパルスＰを出力する。識別・計数部３１は、パルスＰや（前述した）インターバルによって各収納スペース２３における包装硬貨１００の有無を識別するとともに、パルスＰの幅Ｗに応じて、各収納スペース２３における個々の包装硬貨１００の金種を識別する。そして、識別・計数部３１は、出力したパルスＰの数に応じて、ドロア１８が開位置から閉位置まで戻された時点における収納室２１内における金種毎の包装硬貨１００の数（「第２在庫数」ということにする）を計数する。
【００３３】
そして、このドロア１８を有する収納庫３の制御部２４は、第１在庫数から第２在庫数を差し引いて得られる数を、ドロア１８が開位置にあったときに取り出された金種毎の包装硬貨１００の数（取出数）であると判断する。また、ドロア１８を開位置から閉位置まで戻したときに、存在しないことを識別・計数部３１によって新たに識別された包装硬貨１００が、今回取り出された包装硬貨１００である。制御部２４は、識別・計数部３１が識別した当該包装硬貨１００の金種に基づいて、今回開放されたドロア１８から取り出された包装硬貨１００の金種および数（取出数）や、当該包装硬貨１００を今まで収納していた収納スペース２３を検出する。また、第２在庫数が、金種毎の最新の在庫数である。なお、取出数が正の値であれば、ドロア１８から包装硬貨１００が取り出されたことになるが、取出数が負の値であれば、ドロア１８に包装硬貨１００が新たに収納（補充）されたことになる。
【００３４】
識別・計数部２９による各収容庫３におけるドロア１８内の各包装硬貨１００の有無や金種についての識別結果や、金種毎の包装硬貨１００の在庫数は、記憶部２７（図２参照）に記憶されている。たとえば、ドロア１８内の各収納スペース２３に識別番号が割り振られていて、図４Ａに示すように、当該識別番号と包装硬貨１００の有無や金種とを関連付けた管理テーブル３５（記憶手段）が記憶部２７に記憶されている。管理テーブル３５には、ドロア１８における金種別（図４Ａでは、１円硬貨、５円硬貨、１０円硬貨、５０円硬貨、１００円硬貨、５００円硬貨のそれぞれ）の包装硬貨１００についての最新の在庫数も記憶されている。図４Ａにおける包装硬貨の在庫数の欄において、「フル」とは、予定されている最大在庫数であり、図４Ａの場合、たとえば、１０円の包装硬貨１００は、フルで１５本のところ、現在の在庫数は１２本であり、１円の包装硬貨１００は、フルが０本なので、当初から在庫の対象外となっている。なお、図４Ａは、第１収納庫３Ａにおける管理テーブル３５の内容を示しているが、第２収納庫３Ｂについての管理テーブル３５も存在し、第２収納庫３Ｂの記憶部２７に記憶されている。また、ターミナル４には、各収納庫３の管理テーブル３５の内容を一括記憶した管理テーブル５０（記憶手段）が記憶されており（図４Ｂ参照）、管理テーブル５０における包装硬貨の在庫数は、２つの収納庫３全体での在庫数である。
【００３５】
なお、各収納庫３では、ドロア１８の開閉に伴って包装硬貨１００がドロア１８から新たに取り出されたり、ドロア１８に新たに補充されたりすると、その都度、制御部２４は管理テーブル３５の内容を更新する。各収納庫３の管理テーブル３５の内容が更新されると、そのときの更新情報は、ターミナル４に通知され、ターミナル４側で管理されている管理テーブル５０の内容も更新される。
【００３６】
図１に戻り、ターミナル４は、後側へ向けて斜め上方へ延びる天面４Ａを有するボックス状である。この天面４Ａには、液晶のタッチパネルで構成された操作パネル部４０（出力手段）と、従業員のＩＤカード（図示せず）を通すためのスリット４１とが設けられている。スリット４１は、操作パネル部４０の右側において、前後に延びている。
図２を参照して、ターミナル４は、制御部４２（入力手段、制御手段、出力手段、検出手段、報知手段、ロック手段、取引手段）を備えている。制御部４２は、ＣＰＵおよびそのプログラム等を記憶したＲＯＭ、ＲＡＭ等で構成されており、プログラムに従って演算処理等の所定の処理を実行する。ターミナル４は、制御部４２に対して電気的に接続される構成として、前述した操作パネル部４０と、プリンタ部４３と、カードリーダ部４４と、通信Ｉ／Ｆ部４５と、記憶部４６とを含んでいる。
【００３７】
制御部４２は、操作パネル部４０の表示内容を制御したり、操作パネル部４０に表示されたタッチキーの操作を受け付けたりすることができる。プリンタ部４３は、ジャーナルプリンタであって、両替内容等を印字したレシートを発行することができる。なお、図１では、プリンタ部４３は、奥側に隠れていて見えない。従業員が両替装置１にアクセスするために自身のＩＤカードをスリット４１に通すと、カードリーダ部４４が当該ＩＤカードを読み取る。これによって、従業員の本人確認が実行され、予め許可された従業員だけが両替装置１にアクセス可能となる。制御部４２は、通信Ｉ／Ｆ部４５を介することによって、釣銭機２や各収納庫３と通信することができる。これにより、制御部４２は、釣銭機２の制御部１２や各収納庫３の制御部２４に指示を与えて、釣銭機２や各収納庫３の動作を制御したり、釣銭機２の記憶部１５や各収納庫３の記憶部２７に記憶された情報（前述した管理テーブル３５の内容）にアクセスしたりすることができる。記憶部４６には、両替装置１における各種設定内容が記憶されている。たとえば、２台の収納庫３の在庫情報（管理テーブル３５）をまとめた情報（図４Ｂに示す管理テーブル５０）が、記憶部４６に記憶されている。
【００３８】
次に、両替装置１において行われる両替処理について説明する。
図５は、両替装置１において行われる両替処理の一例を示すフローチャートである。図６Ａ〜図６Ｊは、操作パネル部４０における表示内容の一例を示す図である。図７は、両替処理の変形例を示すフローチャートである。
また、この実施形態では、釣銭機２、各収納庫３およびターミナル４において、別々の制御部（制御部１２，２４，４２）が存在し、釣銭機２の制御部１２および収納庫３の制御部２４は、ターミナル４の制御部４２の指示によって個別の制御処理を行っている。そこで、以下では、制御部１２および制御部２４を制御部４２の一部とし、実際には制御部１２や制御部２４が行っている処理も、制御部４２が行っているものとみなして説明する。
【００３９】
待機状態の両替装置１において、ターミナル４の操作パネル部４０には、スクリーンセーバーが表示されている。これから両替取引を開始したい従業員が操作パネル部４０に触れると、制御部４２は、ターミナル４の操作パネル部４０に、図６Ａに示す担当者Ｎｏ入力画面５１を表示する。担当者Ｎｏ入力画面５１には、「担当者Ｎｏを入力してください」というメッセージ５２と、テンキー５３と、決定ボタン５４とが含まれている。
【００４０】
ここで、担当者Ｎｏとは、両替装置１にアクセスできる従業員のそれぞれに割り振られている識別番号であり、記憶部４６に記憶されている。従業員は、テンキー５３を操作して自身の担当者Ｎｏを入力してから、決定ボタン５４を押す。制御部４２は、入力された担当者Ｎｏが記憶部４６に記憶された担当者Ｎｏと一致していれば、本人確認がＯＫであると判断する。なお、従業員がテンキー５３を操作する以外に、従業員が自身のＩＤカードをターミナル４のスリット４１（図１参照）に通すことで本人確認が行われてもよい。この場合、従業員が自身のＩＤカードをターミナル４のスリット４１に通すと、カードリーダ部４４が当該ＩＤカードに記憶された担当者Ｎｏを読み取る。制御部４２は、読み取られた担当者Ｎｏが記憶部４６に記憶された担当者Ｎｏと一致していれば、本人確認がＯＫであると判断する。
【００４１】
図５を参照して、本人確認がＯＫであれば（ステップＳ１でＹＥＳ）、制御部４２は、操作パネル部４０に、図６Ｂに示す両替画面５５を表示して、従業員による額面ボタンの選択があるか否かを監視する（ステップＳ２）。両替画面５５には、「両替したい金種を選んでください」というメッセージ５６と、複数（ここでは２つ）の額面ボタン５７と、戻るボタン５８とが含まれている。戻るボタン５８を押せば、操作パネル部４０には、１つ前の画面（図６Ｂの場合には、前述した担当者Ｎｏ入力画面５１）が表示される。
【００４２】
図６Ｂに示された２つの額面ボタン５７のうち、上側の額面ボタン５７Ａには、「１０円×２本（１，０００円）」という情報が表示され、下側の額面ボタン５７Ｂには、「１００円×２本（１０，０００円）」という情報が表示されている。「１０円×２本（１，０００円）」とは、１，０００円を１０円の包装硬貨２本と両替することを意味しており、「１００円×２本（１０，０００円）」とは、１０，０００円を１００円の包装硬貨２本と両替することを意味している。図６Ｂでは、２つの両替パターンに応じて２つの額面ボタン５７を設けているが、様々な両替パターンに応じて額面ボタン５７の数を任意に増やしたり、他の両替パターンを表示するボタンを追加したりしてもよい。たとえば、１０，０００円を１００円の包装硬貨２本と両替する両替パターン以外に、異なる金種の包装硬貨１００の組み合わせ（１００円の包装硬貨１本および５０円の包装硬貨２本等）と両替する両替パターンも想定される。
【００４３】
従業員は、表示された額面ボタン５７の中から、自分が望む両替パターンの額面ボタン５７を選択して押す。
図５に戻り、従業員がいずれかの額面ボタン５７を選択して押した場合（ステップＳ２でＹＥＳ）、制御部４２には、従業員が両替したい包装硬貨１００に関する情報（当該包装硬貨１００の金種や本数（両替予定数））が入力されることになる。この場合（ステップＳ２でＹＥＳ）、制御部４２は、各収納庫３の記憶部２７（図２参照）に記憶された管理テーブル３５（図４Ａ参照）を参照して（管理テーブル５０を参照しても構わない）、従業員が指定した金種の包装硬貨１００が、両替に必要な数あるか（つまり在庫があるか）否かを金種毎に確認する（ステップＳ３）。
【００４４】
在庫がなければ（ステップＳ３でＮＯ）、制御部４２は、操作パネル部４０に、図６Ｃに示す在庫なし画面５９を表示する（ステップＳ４）。在庫なし画面５９には、「在庫がありません」というメッセージ６０と、前述した戻るボタン５８とが含まれている。在庫がなければ、今回の両替は不可能なので、制御部４２は、在庫なし画面５９を所定時間表示した後に、今回の取引をキャンセルして、待機状態に戻る。なお、在庫なし画面５９には、在庫がない金種を示す情報が表示されてもよい。また、在庫なし画面５９等の表示に合わせて、ブザー等の警告音を発するようにしてもよい。
【００４５】
図５を参照して、いずれの金種についても在庫があれば（ステップＳ３でＹＥＳ）、制御部４２は、今回の両替に必要な包装硬貨１００を収納している収納庫３のロック部２８（図２参照）を制御して、ドロア１８のロックを解除する（ステップＳ５）。なお、両替に必要な包装硬貨１００がいずれかの収納庫３に収納されていれば、該当する収納庫３のドロア１８についてのみロックを解除し、両替に必要な包装硬貨１００が全ての収納庫３に収納されていれば、全ての収納庫３のドロア１８についてロックを解除する。
【００４６】
このように、制御部４２は、入力された包装硬貨１００の両替予定数（両替に必要とされる本数）と管理テーブル３５（管理テーブル５０でもよい）における包装硬貨１００の在庫数とを金種毎に比較し、各金種の在庫数が両替予定数以上であることを条件に（ステップＳ３でＹＥＳ）、ドロア１８の開放を許可する（ステップＳ５）。つまり、両替装置１では、これから両替したい包装硬貨１００についての両替予定数の入力に応じて在庫数確認（在庫確認）が行われ、両替予定数以上の在庫数があればドロア１８を開放できるようになっている。これにより、ドロア１８を開放できるか否かによって、所望の両替ができるか否かを速やかに把握できる。そのため、所望の両替ができるか否かを把握するために、ドロア１８を一旦開放してドロア１８内の在庫数を目視等で確認する煩わしさから解放されるので、包装硬貨１００の両替に関する使い勝手を向上することができる。
【００４７】
一方、制御部４２は、いずれかの金種について在庫数が両替予定数未満であれば（ステップＳ３でＮＯ）、在庫数が不足している旨を、操作パネル部４０における在庫なし画面５９（図６Ｃ参照）によって出力する（ステップＳ４）。そのため、これから両替したい包装硬貨１００についての在庫数が両替予定数未満であれば、在庫数が不足している旨が出力されることによって、所望の両替ができないことを速やかに把握できる。これにより、包装硬貨１００の両替に関する使い勝手を一層向上することができる。
【００４８】
そして、制御部４２は、ステップＳ５において、ドロア１８のロックを解除するのと同時に、操作パネル部４０に、図６Ｄに示すガイダンス画面６１を表示する。ガイダンス画面６１には、「包装硬貨を抜き取ってください」というメッセージ６２と、ロックが解除されたドロア１８が開位置にある状態を示すイラスト６３と、抜き取るべき包装硬貨１００の金種および本数を示す確認メッセージ６４と、今回の取引をキャンセルするために押す取消ボタン８５とが含まれている。
【００４９】
メッセージ６２を見た従業員は、イラスト６３において開位置になっているドロア１８の現物を、実際の開位置まで引き出す。なお、ドロア１８が、収納庫３内に設けられた付勢部材（図示せず）によって開位置側へ付勢されていて、ロックが解除されてから、従業員がドロア１８の前壁１８Ａ（図１参照）を押すと、当該ドロア１８が自動的に開位置まで移動してもよい。
【００５０】
確認メッセージ６４に関し、たとえば、今回の取引で１０，０００円を１００円の包装硬貨２本と両替することを選択していた場合には、「両替金種：１００円×２本」という内容の確認メッセージ６４が表示される。
なお、イラスト６３において、抜き取るべき包装硬貨１００が位置する領域に相当する部分を、図６Ｄにおいて破線Ｈで取り囲んで当該破線Ｈを点灯または点滅させる等によって、目立させてもよい。そうすれば、従業員は、必要な包装硬貨１００がドロア１８のどこにあるのかをすぐに把握でき、包装硬貨１００の取り出しミスを防止できる。同様の効果を奏するために、実際のドロア１８においても、包装硬貨１００を収納する収納スペース２３（図１参照）に、ＬＥＤのランプ等を設けておいて、今回抜き取るべき包装硬貨１００を収納する収納スペース２３のランプだけを点灯または点滅させてもよい。
【００５１】
従業員は、開位置のドロア１８から所望の包装硬貨１００（図６Ｄの場合には１００円の包装硬貨２本）を取り出した後に、このドロア１８を閉位置まで押し込んで閉める。
図５を参照して、制御部４２は、ステップＳ５でロック解除した後、位置センサ３０（図２参照）の検知結果に基づいて、ロック解除したドロア１８が閉まったか（閉位置まで戻ったか）否かを監視している（ステップＳ６）。制御部４２は、ステップＳ５でロック解除してから所定時間経過しても（ロック解除した）ドロア１８が閉まってなければ（ステップＳ６でＮＯ）、操作パネル部４０に表示されているガイダンス画面６１上に、図６Ｅに示す警告画面６５をポップアップ表示する（ステップＳ７）。警告画面６５には、「ドロアを閉めてください」というメッセージ６６と、ＯＫボタン６７とが含まれている。なお、警告画面６５が表示されている間は、前述した取消ボタン８５（図６Ｄ参照）は表示されない。
【００５２】
警告画面６５を見た従業員は、開位置のドロア１８を閉位置まで押し込んで閉め、ＯＫボタン６７を押す。ＯＫボタン６７の押下に応じて、制御部４２は、警告画面６５の表示を止める。
図５を参照して、このように警告画面６５を表示させたか否かを問わず、制御部４２は、ステップＳ５でロック解除した後に、（ロック解除した）ドロア１８が最終的に閉まれば（ステップＳ６でＹＥＳ）、当該ドロア１８が開位置にあった間に従業員によって取り出された包装硬貨１００の金種および数が正しいか否かを確認する（ステップＳ８）。図３を用いて説明したように、ドロア１８の開閉があった収納庫３では、その収納庫３の制御部２４（図２参照）が、今回取り出された包装硬貨１００の金種および数を検出（把握）する。制御部４２は、制御部２４が把握した（今回取り出された）包装硬貨１００の金種および数（取出数）と、ステップＳ２で従業員が選択した包装硬貨１００の金種および数（両替予定数）とが完全に一致すれば、ステップＳ８において正しいと判断し、金種および数の少なくとも一方が一致していなければ、ステップＳ８において正しくないと判断する。
【００５３】
制御部４２は、今回取り出された包装硬貨１００の金種および数が正しくないと判断すると（ステップＳ８でＮＯ）、操作パネル部４０に表示されているガイダンス画面６１上に、図６Ｆや図６Ｇに示す警告画面６８をポップアップ表示する（ステップＳ９）。
取り出した包装硬貨１００の金種に間違いがある場合の警告画面６８には、図６Ｆに示すように、「指定された金種と取出した金種が合っていません」というメッセージ６９と、戻るボタン７０と強制実行ボタン７１とが表示されている。なお、警告画面６８が表示されている間は、前述した取消ボタン８５（図６Ｄ参照）は表示されない。なお、強制実行ボタン７１については、後述する。
【００５４】
取り出した包装硬貨１００の数（本数）に間違いがある場合の警告画面６８には、図６Ｇに示すように、「取出した金種の本数が合っていません」というメッセージ７２と、前述した戻るボタン７０および強制実行ボタン７１とが表示されている。
なお、警告画面６８には、どの金種の包装硬貨１００を何本追加で取り出すべきなのかや、どの金種の包装硬貨１００を何本ドロア１８に戻すべきなのかをいった情報も表示されるとよい。
【００５５】
このように、制御部４２は、両替予定数と取出数とを照合して、両替予定数と取出数とが金種毎に一致しなければ取出数の過不足についての情報を、警告画面６８によって報知する。
警告画面６８を見た従業員は、さっき閉じたドロア１８を開位置まで開き、先ほど取り出した包装硬貨１００のうち、取り出すべきでなかった包装硬貨１００をドロア１８に戻して、正しい金種（本来取り出すべきであった金種）の包装硬貨１００を必要な数（本来取り出すべき本数となるのに必要な数）だけ取り出す。そして、従業員は、このドロア１８を閉位置まで動かして閉じてから、警告画面６８の戻るボタン７０を押す。
【００５６】
図５を参照して、制御部４２は、戻るボタン７０の押下に応じて警告画面６８の表示を止め、その後、ドロア１８が閉まったことを確認してから（ステップＳ６でＹＥＳ）、最終的に取り出された包装硬貨１００の金種および数が正しいか否かを再確認する（ステップＳ８）。
警告画面６８を表示させたか否かを問わず、制御部４２は、先ほど閉まったドロア１８から従業員によって取り出された包装硬貨１００の金種および数が正しければ（ステップＳ８でＹＥＳ）、当該ドロア１８に対応するロック部２８を制御して、当該ドロア１８を閉じた状態でロックする（ステップＳ１０）。
【００５７】
ステップＳ８〜Ｓ１０において、制御部４２は、前述した両替予定数と取出数とが金種毎に一致すれば（ステップＳ８でＹＥＳ）、閉じられたドロア１８を閉じた状態でロックし（ステップＳ１０）、両替予定数と取出数とが（いずれかの金種で）一致しなければ（ステップＳ８でＮＯ）、当該ドロア１８をアンロック状態にするようになっている（ステップＳ９）。そのため、ドロア１８から包装硬貨１００を取り出した後にドロア１８を閉じた状態でロックできるか否かによって、両替予定数と（包装硬貨１００の）取出数とが一致しているか否かを容易に把握できるので、使い勝手が良い。
【００５８】
そして、制御部４２は、ステップＳ１０でドロア１８をロックした後、操作パネル部４０において、今まで表示していたガイダンス画面６１の代わりに、図６Ｈに示す投入画面７３を表示する（ステップＳ１１）。投入画面７３には、「両替用の紙幣を投入してください」というメッセージ７４と、両替装置１において紙幣を投入する部分（投入・払出部１４であって、厳密には投入口５付近）を示すイラスト７５と、投入すべき金額を示す確認メッセージ７６とが含まれている。
【００５９】
このように、制御部４２は、前述した両替予定数と取出数とを照合して、両替予定数と取出数とが金種毎に一致すれば投入・払出部１４（投入口５）への両替用紙幣の投入（入金）を、投入画面７３によって促す。つまり、この両替装置１は、ドロア１８から包装硬貨１００を取り出した後に両替用紙幣を入金する後払い方式の両替装置１である。両替装置１では、ドロア１８からの包装硬貨１００の取出数が管理されていて、両替予定数と取出数とが一致すれば、両替用紙幣を入金するステップＳ１１に進むことができ、両替予定数と取出数とが一致しなければ、その旨（警告画面６８）が報知されて、取出数に過不足があることに気付くことができるので、使い勝手が良い。
【００６０】
投入画面７３における確認メッセージ７６に関し、たとえば、今回の取引で１０，０００円を１００円の包装硬貨２本と両替することを選択していた場合には、「両替金額：１０，０００円」という内容の確認メッセージ７６が表示される。
確認メッセージ７６を見た従業員は、両替用の紙幣（図６Ｈの場合には１０，０００円）を両替装置１の釣銭機２における投入口５に投入する。紙幣の投入に応じて、制御部４２は、操作パネル部４０において、今まで表示していた投入画面７３の代わりに、図６Ｉに示す入金画面７７を表示する。初期の入金画面７７には、「紙幣の投入が終了したら［完了］を押してください」というメッセージ７８と、完了ボタン７９とが含まれている。
【００６１】
従業員は、両替用の紙幣を全て投入口５に投入すると、完了ボタン７９を押す。すると、図５を参照して、制御部４２は、釣銭機２における投入・払出部１４（図２参照）による（投入口５に投入された）紙幣の計数結果から、今回投入された紙幣の総額を算出し、当該総額に過不足があるか否かを判断する（ステップＳ１２）。つまり、ステップＳ１２において、制御部４２は、今回の両替で払い出される包装硬貨１００の総額（前述した両替予定数の包装硬貨１００の総額）と、投入口５に投入された紙幣の総額（投入・払出部１４への両替用紙幣の入金額）とを比較し、投入された紙幣の総額に過不足があるか否かを判断する。
【００６２】
投入された紙幣の総額に過不足がなければ（ステップＳ１２でＮＯ）、制御部４２は、図６Ｉに示すように、操作パネル部４０の入金画面７７において、詳細情報８０を表示する。詳細情報８０には、今回取り出された包装硬貨１００の総額である取出金額（図６Ｉでは１０，０００円）と、従業員によって投入された紙幣の総額である投入金額（図６Ｉでは１０，０００円）と、取出金額と投入金額との差額（図６Ｉでは０円）とが含まれている。図５を参照して、制御部４２は、詳細情報８０を表示してから、プリンタ部４３（図２参照）を制御して、今回の両替の取引内容を印字したレシートを出力（ジャーナル出力）させる（ステップＳ１３）。ジャーナル出力の後、両替装置１は、待機状態に戻る。つまり、制御部４２は、両替用紙幣の入金額と包装硬貨１００の総額とが一致していれば両替取引を完了させる。
【００６３】
投入された紙幣の総額に過不足があれば（ステップＳ１２でＹＥＳ）、制御部４２は、投入された紙幣の総額が（取り出された）包装硬貨１００の総額よりも多いか否かを確認する（ステップＳ１４）。
投入された紙幣の総額が包装硬貨１００の総額よりも少なければ（ステップＳ１４でＮＯ）、制御部４２は、操作パネル部４０に表示されている入金画面７７上に、図６Ｊに示す警告画面８１をポップアップ表示する（ステップＳ１５）。警告画面８１には、「投入金額が不足しています」というメッセージ８２と、戻るボタン８３と、強制完了ボタン８４とが表示されている。なお、メッセージ８２において、不足額も表示されているとよい。つまり、制御部４２は、両替用紙幣の入金額が包装硬貨１００の総額より少なければ、両替用紙幣の追加入金を促す旨を警告画面８１で報知する。なお、強制完了ボタン８４については、後述する。
【００６４】
警告画面８１を見た従業員は、戻るボタン８３を押す。制御部４２は、戻るボタン８３の押下に応じて警告画面８１の表示を止める。その後、従業員が、不足額の紙幣を投入口５に投入してから、完了ボタン７９を押すと、図５を参照して、制御部４２は、今回投入された紙幣の総額に過不足があるか否かを再確認し（ステップＳ１２）、過不足の有無に応じて、ステップＳ１３またはＳ１４の処理を行う。
【００６５】
投入された紙幣の総額が包装硬貨１００の総額よりも多ければ（ステップＳ１４でＹＥＳ）、制御部４２は、投入・払出部１４（図２参照）を制御して、投入された紙幣の総額と包装硬貨１００の総額との差額を、お釣りとして、釣銭機２の払出口６（図１参照）から払い出す（ステップＳ１６）。制御部４２は、お釣りを払い出した後に、今回の両替の取引内容を印字したレシートをジャーナル出力する（ステップＳ１３）。その後、両替装置１は、待機状態に戻る。つまり、制御部４２は、両替用紙幣の入金額が包装硬貨１００の総額より多ければ釣銭を出金する。
【００６６】
以上のように、この両替装置１では、両替用紙幣の入金額と両替予定数の包装硬貨１００の総額との一致や差異に応じて、両替取引を完了させたり、両替用紙幣の追加入金を促したり、釣銭を出金したりと適切な処理を行うので、使い勝手が良い。
なお、レジにおける釣銭不足により、従業員が、早急に包装硬貨１００を必要としている状況が想定される。その場合、従業員が必要な包装硬貨１００をドロア１８から取り出した後において、操作パネル部４０に、前述した警告画面６８（図６Ｆおよび図６Ｇ参照）や警告画面８１（図６Ｊ参照）が表示されていても、従業員は、強制実行ボタン７１（図６Ｆおよび図６Ｇ参照）や強制完了ボタン８４（図６Ｊ参照）を押すことによって、今回の両替取引を強制的に完了させてもよい。この場合、ターミナル４の記憶部４６（図２参照）には、強制的に完了した今回の両替取引の履歴が、今回の両替取引に関わった従業員の担当者Ｎｏに関連付けて記憶されているので、当該従業員は、この両替取引を正常に完了し直すための精算処理を、店舗の閉店時等において事後的に行うことができる。
【００６７】
図７は、両替処理の変形例を示すフローチャートである。
図７のフローチャートにおいて、図５のフローチャートと同じ個々の処理には、同じステップ番号を付すことにする。
図７の両替処理は、実施する個々の処理の内容においては、図５の両替処理と同じであるが、個々の処理を行う順番が図５の両替処理と異なっている。
【００６８】
具体的に、図７を参照して、制御部４２は、図５の場合と同様に、本人確認がＯＫであって（ステップＳ１でＹＥＳ）、額面ボタンの選択があると（ステップＳ２でＹＥＳ）、在庫の確認を行う（ステップＳ３）。在庫がなければ（ステップＳ３でＮＯ）、制御部４２は、在庫なし画面５９を表示する（ステップＳ４）。
在庫がある場合には（ステップＳ３でＹＥＳ）、図５の場合と異なり、制御部４２は、ドロア１８のロックを解除するのではなく、投入画面７３（図６Ｈ参照）を表示させる（ステップＳ１１）。投入画面７３の表示後、制御部４２は、投入された紙幣の過不足に関するステップＳ１２、Ｓ１４〜Ｓ１６の処理を行ってから、ドロア１８のロックを解除する（ステップＳ５）。つまり、図７の場合には、両替用紙幣を先払いするようになっている。
【００６９】
ドロア１８のロックが解除されてから、従業員によってドロア１８が開位置まで引き出されてから包装硬貨１００が取り出される。その後、制御部４２は、ドロア１８が閉まったか否かを確認して（ステップＳ６）、閉まってなければ（ステップＳ６でＮＯ）、警告画面６５を表示する（ステップＳ７）。ドロア１８が閉まっていれば（ステップＳ６でＹＥＳ）、制御部４２は、取り出された包装硬貨１００の金種および数が正しいことを確認する処理（ステップＳ８）を行ってから、閉められたドロア１８をロックし（ステップＳ１０）、前述したジャーナル出力を行う（ステップＳ１３）。
【００７０】
図７に示す変形例の場合でも、両替装置１では、これから両替したい包装硬貨１００についての両替予定数の入力に応じて在庫数確認（在庫確認）が行われ（ステップＳ３）、両替予定数以上の在庫数があればドロア１８を開放できるようになっている。そのため、図５で説明した場合と同様の作用効果を奏することができる。
この発明は、以上の実施形態の内容に限定されるものではなく、請求項記載の範囲内において種々の変更が可能である。
【００７１】
たとえば、前述した実施形態では、ドロア１８を開閉するときに、識別・計数部３１が、各収納室２１内の各収納スペース２３における包装硬貨１００の有無や金種を識別するようになっている（図３参照）。そして、ドロア１８を開いたときにおける金種毎の包装硬貨１００の数と、ドロア１８を閉じたときにおける金種毎の包装硬貨１００の数との差によって、どの金種の包装硬貨１００が取り出されたり補充されたりしたかを判断するようにしている。
【００７２】
このような構成に代え、各ドロア１８の各収納スペース２３（図１参照）に、包装硬貨１００を個別に検知する検知センサ（図示せず）を設けてもよい。収納スペース２３に包装硬貨１００が収納されているときには、この収納スペース２３に設けられた検知センサは、この包装硬貨１００に押圧されることによってＯＮとなり、当該収納スペース２３に包装硬貨１００が収納されていることを検知する。一方、収納スペース２３から包装硬貨１００が取り出されると、この収納スペース２３に設けられた検知センサは、この包装硬貨１００に押圧されなくなることによってＯＦＦとなり、当該収納スペース２３に包装硬貨１００が収納されていないことを検知する。収納庫３の記憶部２７では、各収納スペース２３に設けられた検知センサのＯＮ・ＯＦＦによって、各収納スペース２３における包装硬貨１００の有無を金種毎に管理できる。これにより、ドロア１８を開閉させなくても、包装硬貨１００が収納スペース２３から取り出されたり収納スペース２３に収納されたりすれば、速やかに、各収納スペース２３における包装硬貨１００の有無や金種を識別することができる。換言すれば、当該検知センサは、開放されたドロア１８からの包装硬貨１００の取出数を検出することができる。なお、検知センサとして、収納スペース２３に収納された包装硬貨１００における硬貨の材質を磁気的に識別することによって、包装硬貨１００の金種を識別するセンサを用いてもよい。その場合、検知センサは、収納スペース２３に収納された包装硬貨１００について、その有無を識別するだけでなく、金種も識別できる。
【００７３】
前述した実施形態では、紙幣を包装硬貨に両替することについて説明している。本発明は、前述した実施形態に限らず、ばらの硬貨を包装硬貨に両替することや、貨幣（紙幣および硬貨の少なくもいずれか）を、所定枚数毎にまとめて包装された（帯封される場合も含む）包装紙幣に両替する場合にも適用可能である。
また、この実施形態の釣銭機２は、紙幣しか扱っていないが、包装硬貨１００の金種によっては、両替用に硬貨が投入される場合や、硬貨の釣銭を支払う場合が想定されるので、釣銭機２は、紙幣だけでなく硬貨も取り扱うことができてもよい。または、両替装置１は、紙幣専用の釣銭機２以外に、硬貨専用の釣銭機２を備えていてもよい。
【００７４】
また、両替装置１において、釣銭機２、収納庫３およびターミナル４は分離不能に一体化されていてもよい。
また、前述した実施形態では、両替装置１が包装硬貨Ｋを払い出す両替機能についてのみ説明したが、両替装置１は、両替機能だけでなく、店舗の売上金を回収する機能も有していてもよい。
【００７５】
また、前述した実施形態では、投入された紙幣の総額が、取り出された包装硬貨１００の総額より多ければ、お釣りが払い出されるようになっている（前述したステップＳ１６）。この場合、お釣りを払い出すことなく、投入された紙幣の総額が多い旨を示す警告画面を操作パネル部４０に表示してもよい。
また、両替装置１では、前述した各種警告画面が表示されている間、警告のためのブザーを鳴らすようにしても構わない。
【００７６】
また、収納庫３内の包装硬貨１００の在庫数に関する情報を、ターミナル４の操作パネル部４０に表示してもよい。たとえば、１００円包装硬貨（フルで１５本）の在庫数が５本未満になると、１００円包装硬貨の補充を促すメッセージを操作パネル部４０に表示する。在庫数の閾値は、予め設定しておく。なお、同一金種の包装硬貨１００が二段の収納庫３に分けて収納されている場合には、同一金種の包装硬貨１００の合計数で判定する。
【００７７】
また、包装硬貨１００の本数に代えて、包装硬貨１００の金額で管理するようにしても、前述した効果が得られる。たとえば、「１００円包装硬貨：２本」と表示するのを、「１００円包装硬貨：１００００円分」と表示してもよい。
【符号の説明】
【００７８】
１      両替装置
１４    投入・払出部
１８    ドロア
２４    制御部
２７    記憶部
２８    ロック部
３５    管理テーブル
４０    操作パネル部
４２    制御部
５０    管理テーブル
１００  包装硬貨  
【図１】
2014096002.tif 000003
【図２】
2014096002.tif 000004
【図３】
2014096002.tif 000005
【図４Ａ】
2014096002.tif 000006
【図４Ｂ】
2014096002.tif 000007
【図５】
2014096002.tif 000008
【図６Ａ】
2014096002.tif 000009
【図６Ｂ】
2014096002.tif 000010
【図６Ｃ】
2014096002.tif 000011
【図６Ｄ】
2014096002.tif 000012
【図６Ｅ】
2014096002.tif 000013
【図６Ｆ】
2014096002.tif 000014
【図６Ｇ】
2014096002.tif 000015
【図６Ｈ】
2014096002.tif 000016
【図６Ｉ】
2014096002.tif 000017
【図６Ｊ】
2014096002.tif 000018
【図７】
2014096002.tif 000019